(57)【要約】【課題】電動ドリルなどの電動機器の取付部に係合するシャンクを有する工具を吊り下げるための工具吊り下げ具において、板状体に対して前記工具を容易に取り付け，取り外しでき、その上、板状体に対して前記工具を引っ張っても容易に抜け外れないため、盗難の懸念もほとんど生じず、しかも、簡易な構成にして容易に設計実現できる極めて実用性に秀れた画期的な工具吊り下げ具を提供すること。【解決手段】電動ドリルなどの電動機器の取付部に係合するシャンク部１を有する工具２を吊り下げるための工具吊り下げ具において、板状体３の板面に設けた開口部４と対向状態に前記シャンク部１に被嵌配設する被嵌部５を板面に対して突出状態に設け、この被嵌部５の内側に前記シャンク部１の外面の凹部６に係止する吊り下げ用係止部７を設け、前記工具２を前記板状体３に沿設状態若しくは連設状態に吊り下げ係止するように構成した工具吊り下げ具。【選択図】        図１
2005040867.tif 000002
【特許請求の範囲】
【請求項１】
電動ドリルなどの電動機器の取付部に係合するシャンク部を有する工具を吊り下げるための工具吊り下げ具において、板状体の板面に設けた開口部と対向状態に前記シャンク部に被嵌配設する被嵌部を板面に対して突出状態に設け、この被嵌部の内側に前記シャンク部の外面の凹部に係止する吊り下げ用係止部を設けて、前記シャンク部を板面に対して前記開口部側へ傾動若しくは移動若しくは配置させて前記吊り下げ用係止部から前記シャンク部の凹部を逃がし、このシャンク部を戻り動若しくは移動させて前記シャンク部を前記被嵌部に被嵌配設することで前記凹部を前記吊り下げ用係止部に係止させて前記工具を前記板状体に沿設状態若しくは連設状態に吊り下げ係止するように構成したことを特徴とする工具吊り下げ具。
【請求項２】
前記シャンク部を前記被嵌部に被嵌配設した際、前記開口部の全部若しくは一部を閉塞する閉塞部を設けて、前記シャンク部の前記開口部側への逃げ動を阻止するように構成したことを特徴とする請求項１記載の工具吊り下げ具。
【請求項３】
前記閉塞部を、前記開口部の全部若しくは一部を閉塞するシール部材としたことを特徴とする請求項２記載の工具吊り下げ具。
【請求項４】
前記板状体に前記シャンク部を有する工具に関する情報を表示するための表示部を設けたことを特徴とする請求項１〜３のいずれか１項に記載の工具吊り下げ具。
【発明の詳細な説明】
【０００１】
【発明の属する技術分野】
本発明は、シャンク部を有する工具を吊り下げるための工具吊り下げ具に関するものである。
【０００２】
【従来の技術及び発明が解決しようとする課題】
例えばドライバーを店頭で陳列する際に前記ドライバーを吊り下げ支承する吊り下げ具として、特開平７−３２７７９３号（発明の名称：ハンガー。以下、従来例という。）が提案されている。
【０００３】
この従来例は、吊り下げ孔を有する板状のハンガー本体と、このハンガー体に対して着脱自在とした平面視略Ω字状のゴム製ドライバー杆保持部材とから成り、ハンガー本体には前記ドライバー杆保持部材を取り付けるための取付孔を設け、この取付孔にドライバー杆保持部材をドライバー杆（例えばドライバー杆の先端部）を介して取り付けることで、ドライバーを吊り下げできるように構成している。
【０００４】
この従来例によれば、ドライバー杆保持部材をゴム製としているため、このゴムが発揮する滑り止め作用によってドライバー杆が抜け外れにくくし、ハンガー本体に良好に吊り下げ保持している。
【０００５】
ところで、この従来例は、ドライバー杆をゴム製のドライバー杆保持部材によって保持して前記ドライバーをハンガー本体に吊り下げ保持しているとはいえ、ドライバーをハンガー本体に対して強く下方へ引っ張れば、当然、ドライバー杆は抜け外れてしまう。
【０００６】
そのため、盗難の被害にあいかねない懸念を有していた。
【０００７】
前記問題点を解決するために、例えば、ドライバー杆を前記ドライバー杆保持部材によって極めて強固に挟持することで、ドライバーをハンガー本体に対して相当な力をもって引っ張っても、決して抜け外れないように構成することも考えられるが、この場合には、ドライバーをハンガー本体に取り付けるのに非常に手間がかかり、その上、使用時にハンガー本体からドライバーを取り外すのにも非常に手間がかかってしまい、結果、実用性に劣るハンガーになってしまう。
【０００８】
また、例えば、ドライバー抜け外れ防止機構なるものを別途ハンガー本体に設けることも考えられるが、構造が複雑化してコスト高となり、結果、やはり実用性に劣るハンガーになってしまう。
【０００９】
更に、従来例は、前述のように、ハンガー本体とドライバー杆保持部材とが別体で設けられ、しかも、ドライバー杆保持部材は、ハンガー本体と素材が異なるゴム製のため、製作に手間がかかるという問題点を有する。
【００１０】
従って、簡易にコストをかけずに製作することができない。
【００１１】
本発明は、上記問題点に鑑み、試作，検討を繰り返して成されたもので、電動ドリルなどの電動機器の取付部に係合するシャンクを有する工具を吊り下げるための工具吊り下げ具において、板状体に対して前記工具を容易に取り付け，取り外しでき、その上、板状体に対して前記工具を引っ張っても容易に抜け外れないため、盗難の懸念もほとんど生じず、しかも、簡易な構成にして容易に設計実現できる極めて実用性に秀れた画期的な工具吊り下げ具を提供することを目的としている。
【００１２】
【課題を解決するための手段】
添付図面を参照して本発明の要旨を説明する。
【００１３】
電動ドリルなどの電動機器の取付部に係合するシャンク部１を有する工具２を吊り下げるための工具吊り下げ具において、板状体３の板面に設けた開口部４と対向状態に前記シャンク部１に被嵌配設する被嵌部５を板面に対して突出状態に設け、この被嵌部５の内側に前記シャンク部１の外面の凹部６に係止する吊り下げ用係止部７を設けて、前記シャンク部１を板面に対して前記開口部４側へ傾動若しくは移動若しくは配置させて前記吊り下げ用係止部７から前記シャンク部１の凹部６を逃がし、このシャンク部１を戻り動若しくは移動させて前記シャンク部１を前記被嵌部５に被嵌配設することで前記凹部６を前記吊り下げ用係止部７に係止させて前記工具２を前記板状体３に沿設状態若しくは連設状態に吊り下げ係止するように構成したことを特徴とする工具吊り下げ具に係るものである。
【００１４】
また、前記シャンク部１を前記被嵌部５に被嵌配設した際、前記開口部４の全部若しくは一部を閉塞する閉塞部８を設けて、前記シャンク部１の前記開口部４側への逃げ動を阻止するように構成したことを特徴とする請求項１記載の工具吊り下げ具に係るものである。
【００１５】
また、前記閉塞部８を、前記開口部４の全部若しくは一部を閉塞するシール部材１０としたことを特徴とする請求項２記載の工具吊り下げ具に係るものである。
【００１６】
また、前記板状体３に前記シャンク部１を有する工具２に関する情報を表示するための表示部９を設けたことを特徴とする請求項１〜３のいずれか１項に記載の工具吊り下げ具に係るものである。
【００１７】
【発明の実施の形態】
好適と考える本発明の実施の形態（発明をどのように実施するか）を、図面に基づいてその作用効果を示して簡単に説明する。
【００１８】
シャンク部１を板状体３の板面に対して開口部４側へ傾動若しくは移動若しくは配置させることで、シャンク部１の凹部６を吊り下げ用係止部７から逃がす。
【００１９】
そして、吊り下げ用係止部７から逃がした凹部６を有するシャンク部１を戻り動若しくは移動させることで、シャンク部１を前記開口部４と対向状態に突設した被嵌部５に被嵌配設できることとなり、これにより、工具２を板状体３に沿設状態若しくは連設状態に吊り下げ係止できることとなる。
【００２０】
この際、吊り下げ用係止部７にシャンク部１の凹部６が係止することで、このシャンク部１を被嵌部５に対して強い力で引っ張っても、工具２が板状体３から抜け外れないこととなる。
【００２１】
従って、本発明は、簡易な操作で板状体３に工具２を沿設状態若しくは連設状態に取り付けでき、しかも、例えば板状体３に対して工具２を強く引っ張ったとしても容易に抜け外れることがなく、故に盗難の懸念も生じない。
【００２２】
また、板状体３から工具２を取り外す際には、例えばシャンク部１を板面に対して開口部４から離反する方向に傾動させて移動若しくは移動するだけで、シャンク部１の凹部６を吊り下げ用係止部７から逃げつつ被嵌部５からシャンク部１を取り外して板状体３から工具２を簡単に取り外すことができる。
【００２３】
また、例えば、前記シャンク部１を前記被嵌部５に被嵌配設した際、前記開口部４の全部若しくは一部を閉塞する閉塞部８を設けて、シャンク部１の前記開口部４側への逃げ動を阻止するように構成すれば、シャンク部１が被嵌部５と閉塞部８との間に配設された状態を保持できることとなり、これにより、シャンク部１を被嵌部５に被嵌配設した状態、即ち、吊り下げ用係止部７に凹部６を係止した極めて抜け外れにくい状態を保持できることとなるなど、一層実用的となる。
【００２４】
また、例えば、前記閉塞部８を、前記開口部４の全部若しくは一部を閉塞するシール部材１０とすれば、例えば、シャンク部１を前記被嵌部５に被嵌配設した後、単にシール部材１０を配設するだけで、板状体３に工具２を極めて抜け外れにくい状態で簡単に取り付けることができ、また、工具２を使用する際には、シール部材１０を剥がせば、シャンク部１の前記開口部４への逃げ動を可能にして、板状体３から工具２を取り外し使用することが可能となるなど、一層実用的となる。
【００２５】
また、例えば、前記板状体３に前記シャンク部１を有する工具２に関する情報を表示するための表示部９を設ければ、工具２を吊り下げた状態で前記工具２の製品名や製品説明等の情報を一見して確認できることとなるなど、一層実用的となる。
【００２６】
【実施例】
図面は本発明の一実施例を図示したものであり、以下に説明する。
【００２７】
本実施例は、電動ドリルなどの電動機器の取付部に係合するシャンク部１を有する工具２を吊り下げるための工具吊り下げ具に関するものである。
【００２８】
板状体３の板面に設けた開口部４と対向状態に前記シャンク部１に被嵌配設する被嵌部５を板面に対して突出状態に設け、この被嵌部５の内側に前記シャンク部１の外面の凹部６に係止する吊り下げ用係止部７を設けた構成としている。
【００２９】
具体的には、図１に示すように、板状体３の下方側に縦長窓孔４Ａを設けて前記板状体３に開口部４を設けた構成としている。
【００３０】
この開口部４は、シャンク部１を被嵌部５に被嵌配設する際に、シャンク部１の凹部６を被嵌部５の吊り下げ用係止部７から逃がすために設けられたものである。
【００３１】
また、縦長窓孔４Ａの大きさは、シャンク部１を被嵌部５に被嵌配設する際、このシャンク部１の凹部６を被嵌部５の吊り下げ用係止部７から逃がすことが可能であり、且つ、被嵌部５に被嵌したシャンク部１が過剰にがたつかない大きさに設定している。
【００３２】
縦長窓孔４Ａの大きさを前記大きさに設定したのは、シャンク部１を被嵌部５に被嵌配設した際に、シャンク部１と被嵌部５との間や、シャンク部１と板状体３との間に必要以上の隙間が生じて必要以上のがたつきが生じてしまったり、これにより、工具２が抜け落ちてしまったりすることを防止するためである。
【００３３】
尚、本実施例では、開口部４を板状体３の下方側に縦長窓孔４Ａを形成することで設けた構成としたが、シャンク部１の凹部６を被嵌部５内側の吊り下げ用係止部７から逃がすことが可能であり、且つ、シャンク部１を被嵌部５に被嵌配設した際に、シャンク部１が被嵌部５から抜け外れ易くならなければ、縦長窓状４Ａ以外で前記開口部４を構成しても良く、例えば、板状体３の下端から上方に向けて所定長さ切り欠いた切欠部を形成して開口部４としても良い。この場合には、板状体３の裏面、即ち、被嵌部５を突設しない側の面からシャンク部１を開口部４を介して被嵌部５に被嵌配設することができる。
【００３４】
被嵌部５を、開口部４の全部若しくは一部を覆うように板状体３の板面に対して突出状態に設けた構成としている。
【００３５】
これは、シャンク部１の外面のより広い範囲を被嵌部５で被嵌できるようにするためである。
【００３６】
具体的には、図１，図２に示すように、開口部４の中間部、または、前面中程を覆うように帯板体５Ａを板状体３に対して突設することで前記被嵌部５を設けた構成としている。これは、シャンク部１の長さ方向所定巾を被嵌部５で被嵌可能とすることで、シャンク部１を被嵌部５でより一層確固に被嵌配設できるようにするためである。
【００３７】
本実施例では、図１，図４に示すように、縦長窓孔４Ａの中央よりもやや下方寄りに、所定巾の帯板体５Ａを平面視逆Ｕ字状に突設して前記被嵌部５を設けた構成としている。
【００３８】
これは、シャンク部１を被嵌部５に被嵌配設する際に、シャンク部１の凹部６形成位置と、前記吊り下げ用係止部７の形成位置とを視認し易くし、これにより、板状体３に工具２を取り付け易くするためと、シャンク部１の先端を外部から視認できるようにし、品物（即ち、電動ドリル）の全体の状態が分かるようにするためである。
【００３９】
また、被嵌部５の板状体３に対する突出度合いは、シャンク部１を被嵌部５で十分に被嵌できる突出度合いに設定している。
【００４０】
これは、シャンク部１の外周面のより広い範囲を被嵌部５により被嵌できるようにすることで、工具２を安定した抜け外れにくい状態で板状体３に吊り下げ係止できるようにするためである。
【００４１】
具体的には、シャンク部１を被嵌部５に被嵌配設した際、この被嵌部５に被嵌配設される高さ位置にあたるシャンク部１の外周面の少なくとも半分（半周）以上が、前記被嵌部５によって被嵌され得る突出状態に設定している。
【００４２】
これは、シャンク部１をより一層安定した状態で被嵌部５に被嵌して工具２を抜け外れにくい状態で板状体３に吊り下げ係止できるようにするためである。
【００４３】
本実施例では、図３，図４に示すように、被嵌部５の突出度合いを、前記被嵌部５を構成する平面視逆Ｕ字状の帯板体５Ａ内にシャンク部１が丁度収まり得る突出度合いに設定している。
【００４４】
これは、被嵌部５に被嵌配設されたシャンク部１と板状体３との間に余計な隙間を生じさせてがたつかせず、且つ、シャンク部１を前記被嵌部５により確固に吊り下げ保持できるようにするためである。
【００４５】
尚、本実施例では、縦長窓孔４Ａの中央よりもやや下方寄りに、所定巾の帯板体５Ａを平面視逆Ｕ字状に突設することで前記被嵌部５を設けた構成としたが、シャンク部１を吊り下げ保持できるものであれば適宜採用しても良い。
【００４６】
例えば、シャンク部１の凹部６に係止し得るＣ杆体を開口部４と対向状態に突設して前記被嵌部５を構成しても良い。
【００４７】
また、このＣ杆体は必要に応じて開口部４の長さ方向に複数設けた構成としても良い。
【００４８】
また、Ｃ杆体を複数設けた場合には、この複数のＣ杆体同志を連結し得る連結部材を配設した構成としても良い。
【００４９】
また、例えば、本実施例のように、平面視逆Ｕ字状に被嵌部５を設けるのではなく、板状体３の板面に対して垂直上方に前記凹部６に被嵌する被嵌部材を先ず突設し、この被嵌部材の先端を互いに内方に所定長さ折曲し、これにより、被嵌部材の先端部を開口部４と対向状態に配設して前記被嵌部５を設けた構成としても良い。即ち、板状体３に対して鉤状に前記被嵌部材を突設し前記被嵌部５を設けた構成としても良い。
【００５０】
また、本実施例では、縦長窓孔４Ａの中央よりもやや下方寄りに、所定巾の帯板体５Ａを突設した構成としたが、開口部４を全て覆う巾に設定した帯板体５Ａを突設して前記被嵌部５を設けた構成としても良い。
【００５１】
前記開口部４には、シャンク部１の開口部４側への逃げ動を規制するための巾狭部１２を設けた構成としている。
【００５２】
これは、シャンク部１の開口部４側への逃げ動を確実に阻止するためと、シャンク部１を被嵌部５に被嵌配設した後、後述のシール部材１０を配設するまでの間に、シャンク部１が被嵌部５から係脱しないように、シャンク部１を仮止め保持しておくためである。
【００５３】
これにより、例えば、被嵌部５に被嵌したシャンク部１を手で押さえながらシール部材１０を配設するなどの手間を要せず、簡単に閉塞部８を設けることができる。
【００５４】
具体的には、前記開口部４を構成する縦長窓孔４Ａの上方側（板状体３の中央寄り）左右両側縁を内方に所定長さ突設することで前記巾狭部１２を設けた構成としている。
【００５５】
更に具体的には、図１，図４，図５に示すように、板状体３に突設した帯板体５Ａで上部が覆われない縦長窓孔４Ａの孔縁部（即ち、対向位置に帯板体５Ａを設けない開口部４の孔縁部）を内方にやや突設することで前記巾狭部１２を設けた構成としている。
【００５６】
これは、シャンク部１を傾動させて凹部６を突出体７Ａから逃げつつ縦長窓孔４Ａ内に挿通する際には、巾狭部１２によって前記傾動が規制されずに容易に挿通でき、シャンク部１を戻り動した際にシャンク部１が前記巾狭部１２を通過して被嵌部５に被嵌配設し、これにより、板状体３に対して沿設状態となったシャンク部１を良好に規制できるようにするためである。
【００５７】
前記巾狭部１２は、被嵌部５突設側に向かうにつれて徐々に巾狭となるテーパ状に形成した構成としている。
【００５８】
即ち、図７，図９に示すように、平面から見て板状体３の裏面側から表面側に向けて徐々に巾狭となるように前記巾狭部１２を設けた構成としている。
【００５９】
これは、被嵌部５にシャンク部１を被嵌配設する際、巾狭部１２にシャンク部１を押し当てることで、テーパ面に沿って被嵌部５にシャンク部１を挿入し易くするためである。
【００６０】
具体的には、巾狭部１２を平面からみた際、最も巾狭となる部位の巾を、シャンク部１の対向する辺同志の巾よりも巾狭に設定した構成としている。
【００６１】
これは、一旦被嵌部５に被嵌配設したシャンク部１を開口部４側へ容易に逃げ動させないようにするためである。
【００６２】
即ち、シャンク部１を被嵌部５に被嵌配設する際には、例えば六角シャンクの対辺寸法（対向辺部）が開口部４の巾狭部１２の斜めの面取り部分を押し拡げて帯板体５Ａ内部に組み入れられるが、外すときは、面取りが無く、即ち、傾斜部分を有さないため、巾狭部１２を押し拡げるのには、はっきりとした外す意志を持って押さないと開口部４の巾狭部１２を押し拡げて外すことはできない。これにより、シャンク部１を触って動かしているうちに所謂もののはずみで外れることを物理的に防いでいる。
【００６３】
尚、本実施例では、対向する辺同志の間隔が６．３５ｍｍのシャンク部１に対して、巾狭部１２の最も巾狭となる部位の巾を６．０ｍｍに設定した構成としている。
【００６４】
これにより、巾狭部１２にシャンク部１を挿通する際には、巾狭部１２に対してシャンク部１の一対向辺を略直角の状態として前記巾狭部１２を挿通する際のシャンク部１の横巾を小さくし、この状態で巾狭部１２のテーパ部（面取り部分）を押し拡げつつ挿通し（図９の（ａ）参照）、シャンク部１を被嵌部５に被嵌配設した後にシャンク部１を少し回転させて、巾狭部１２に対するシャンク部１の横巾を前記挿通した際よりも巾広として、シャンク部１を巾狭部１２から抜け外れにくくすることができる（図９の（ｂ），（ｃ）参照）。
【００６５】
被嵌部５の内側には突出体７Ａを設けて、シャンク部１の外面の凹部６に係止する前記吊り下げ用係止部７を設けた構成としている。
【００６６】
これは、シャンク部１を被嵌部５に被嵌配設した際に、前記突出体７Ａがシャンク部１の凹部６に当接して、シャンク部１が被嵌部５から抜け落ちてしまうことを阻止するためである。
【００６７】
具体的には、帯板体５Ａの内面長さ方向（即ち、板状体３の巾方向）に、シャンク部１の凹部６に係合し得る形状に形成した突出体７Ａを設けて前記吊り下げ用係止部７を設けた構成としている。
【００６８】
これは、シャンク部１の外面に周設された凹部６のなるべく広い範囲において突出体７Ａが係止し得るようにし、これにより、吊り下げ用係止部７によるシャンク部１の吊り下げ係止力を高めるためである。
【００６９】
本実施例では、図２，図３に示すように、帯板体５Ａの内面長さ方向に断面半円状の突出体７Ａを設けて前記吊り下げ用係止部７を設けた構成としている。
【００７０】
これは、シャンク部１の外面に断面半円状に凹設されて形成された前記凹部６に嵌合係合し得る形状の突出体７Ａを設けることで、シャンク部１を被嵌部５により一層秀れた吊り下げ係止力をもって吊り下げ係止し、これにより、工具２を一層安定した抜け外れにくい状態で板状体３に吊り下げ係止できるようにするためである。
【００７１】
尚、本実施例では被嵌部５を構成する帯板体５Ａの内面長さ方向に、断面半円状の突出体７Ａを設けて前記吊り下げ用係止部７を設けた構成としたが、この吊り下げ用係止部７はシャンク部１の凹部６を吊り下げ係止し得るものであれば適宜採用しても良い。
【００７２】
例えば、被嵌部５の内面に、断続的に突出体７Ａを設けた構成としても良く、この突出体７Ａの断面形状は半円形状でなくとも、多角形状としても良い。
【００７３】
前記シャンク部１を前記被嵌部５に被嵌配設した際、前記開口部４の全部若しくは一部を閉塞する閉塞部８を設け、この閉塞部８と、シャンク部１の対辺寸法よりも狭い巾に設定した開口部４の巾狭部により、前記開口部４側への逃げ動を阻止するように構成している。
【００７４】
これは、シャンク部１を被嵌部５に被嵌配設した状態から、シャンク部１が開口部４側に傾動することを阻止することで、シャンク部１の凹部６が吊り下げ用係止部７から係脱することを阻止し、これにより、板状体３から工具２が抜け外れてしまうことを防止するためである。
【００７５】
具体的には、前記開口部４の全部若しくは一部にシール部材１０を配設して前記閉塞部８を設けた構成としている。
【００７６】
これにより、開口部４の全部若しくは一部を閉塞するように、単にシール部材１０を貼るだけで容易に前記閉塞部８を設けることができる。
【００７７】
本実施例では、図１，図３，図１０に示すように、被嵌部５を突設しない板状体３側（即ち裏面）の開口部４を、シール部材１０により閉塞し、更にシャンク部１の対辺寸法よりも狭い巾に設定した巾狭部１２を開口部４に設けることで、シャンク部１の開口部４側への逃げ動（即ち、開口部４外方への逃げ動）を阻止できるように構成している。
【００７８】
これにより、シャンク部１は被嵌部５とシール部材１０との間に大きな隙間を生じることなく配設されることとなり、よって、シャンク部１の凹部６に吊り下げ用係止部７が係止した状態を保持でき、板状体３に対して工具２が秀れた吊り下げ係止力をもって吊り下げ保持することができる。
【００７９】
また、シール部材１０は、視覚的に塞がっていることを示し、破いたり剥がしたりしなければ外せないという心理的な防御効果をも発揮することができる。
【００８０】
また、板状体３から工具２を取り出す際には、シール部材１０を剥がしたり破いたりして、シャンク部１を開口部４側に逃げ動等させることで、取り外すことができる。
【００８１】
即ち、工具２を板状体３から外す意志をもってシール部材１０を剥がすなどすれば、工具２を板状体３から簡単に外すことが可能であるが、そうでなければ、シール部材１０が開口部４を閉塞し、更に、巾狭部１２が開口部４側への逃げ動を阻止しており、その上、前記シャンク部１の凹部６に吊り下げ用係止部７が被嵌係合しているため、工具２は板状体３に対して極めて外れにくい。
【００８２】
前記板状体３に前記シャンク部１を有する工具２に関する情報を表示するための表示部９を設けた構成としている。
【００８３】
即ち、前記開口部４の全部若しくは一部を閉塞するように配設する前記シール部材１０の表面に、前記シャンク部１を有する工具２に関する情報を表示するための表示部９を設け、このシール部材１０を前記板状体３に配設することで前記板状体３に前記表示部９を設けた構成としている。
【００８４】
これにより、製品の名称や前記製品の説明、バーコードなどを板状体３に記すためのシール部材１０を、シャンク部１が開口部４側へ逃げ動することを阻止する前記閉塞部８に兼用でき、よって、本実施例の吊り下げ具をより簡易な構成により形成することができる。
【００８５】
尚、本実施例のシール部材１０は、図１に示すように、逆Ｌ字状に形成して板状体３の表面から裏面にかけて配設できるように構成しており、図１０に示すように、板状体３の表面には例えば工具２の名称などを記し、板状体３の裏面には例えば製造元の住所等やバーコードなどを記している。
【００８６】
即ち、予め板状体３の表面にシール部材１０の一部を貼り、残りの部分を板状体３に貼らない状態としておき、シャンク部１を被嵌部５に被嵌配設した後に、まだ貼っていないシール部材１０部位を板状体３の裏面に折り込んで貼り付けることで、開口部４をシール部材１０で簡単に閉塞することができる。尚、折り込まずとも、裏面専用のシール部材１０を用意しておき、この裏面専用のシール部材１０を貼り付けことで前記開口部４の全部若しくは一部を閉塞しても良い。
【００８７】
また、本実施例では、製品の名称やバーコードなどを記したシール部材１０を板状体３に貼り付けることで前記板状体３に表示部９を設けた構成としたが、シール部材１０と表示部９を別個に設けても良い。
【００８８】
即ち、板状体３に印刷により製品の名称等を記し、開口部４は別途用意したシール部材１０により閉塞し得るように構成しても良い。
【００８９】
本実施例の吊り下げ具は、合成樹脂を用いた一体成形により形成した構成としている。
【００９０】
これにより、本実施例の吊り下げ具を極めて容易に製作することができる。よって、本実施例の吊り下げ具をコスト安に製作することができる。
【００９１】
次に、本実施例の吊り下げ具へのシャンク部１の取り付け方法、及び、取り外し方法について述べる。
【００９２】
本実施例の吊り下げ具に工具２を取り付ける際は、先ず、図１，図２に示すように、被嵌部５の下方から開口部４にシャンク部１を傾斜させてシャンク部１の凹部６を吊り下げ用係止部７から逃げて挿通する。
【００９３】
次いで、シャンク部１の凹部６と吊り下げ用係止部７の形成位置とを合わるべく、シャンク部１の対向辺を平面から見て巾狭部１２に対して略直角の状態として、巾狭部１２を押し拡げつつ前記傾斜したシャンク部１を略垂直となるまで戻り動させる。
【００９４】
シャンク部１を少し回転させ、シャンク部１の横巾を対向寸法として巾狭部位１２よりもより巾広とする。
【００９５】
次いで、板状体３にシール部材１０を貼って開口部４を塞ぐ。
【００９６】
これにより、吊り下げ具に工具２が沿設状態に取り付けられる。
【００９７】
吊り下げ具から工具２を取り外す際には、先ず、板状体３からシール部材１０を剥がすか破り、巾狭部１２の横巾を拡げつつシャンク部１を傾斜させて開口部４側に逃げ動させ、シャンク部１の凹部６から吊り下げ用係止部７を離脱させてそのまま工具２を板状体３に対して引動し、前記板状体３から工具２を取り外す。
【００９８】
即ち、被嵌部５の下方から開口部４の縦長窓孔４Ａを斜めに通り抜けるように挿通し、前記シャンク部１の凹部６が前記吊り下げ用係止部７の位置に到達した時、前記シャンク部１を傾斜状態から垂直状態にするべく引き起こし、前記シャンク部１は巾狭部１２を押し拡げて再び被嵌部５側へ戻り動させて前記シャンク部１を被嵌部５に被嵌配設することで凹部６を吊り下げ用係止部７に係止させ、これにより、工具２を板状体３に沿設状態に吊り下げ係止する。
【００９９】
従って、本実施例の吊り下げ具は、簡易に製造することができる上に、工具２の取り付け，取り外しも簡単な操作で行え、しかも、秀れた吊り下げ係止力を発揮することができる画期的な工具吊り下げ具となる。
【０１００】
即ち、本実施例は上述のように構成したから、被嵌部５に被嵌配設したシャンク部１は、下方に強く引っ張っても凹部６が吊り下げ用係止部７に嵌合係合しているため極めて抜け外れにくい極めて実用性に秀れた画期的な工具吊り下げ具となる。
【０１０１】
更に、開口部４はシール部材１０によって閉塞されているため、シャンク部１が開口部４側に逃げ動することを阻止して前記抜け外れにくい状態を維持することができ、また、このシール部材１０は、視覚的に板状体３の開口部４が塞がっていることを示すことができ、これにより、このシール部材１０を破らなければ工具２を取り外せないという心理的な防御効果をも発揮することができる極めて実用性に秀れた画期的な工具吊り下げ具となる。
【０１０２】
しかも、開口部４には、シャンク部１の対向する辺の間隔よりも巾狭で且つシャンク部１を被嵌部５に被嵌配設する方向に面取りした巾狭部１２を設けたため、シャンク部１を被嵌部５から取り外すためには、はっきりとした工具２を取り外す意志をもって巾狭部１２を押し広げない限りは工具２を板状体３から取り外すことはできず、よって、前述のシール部材１０と相俟って、秀れた盗難防止効果を発揮することができる極めて実用性に秀れた画期的な工具吊り下げ具となる。
【０１０３】
しかしながら、工具２の購入者がこの工具２を使用する際には、シール部材１０を単に剥がしたり破いたりすることで、簡単に板状体３から取り外すことができる、これまでにない極めて実用性に秀れた画期的な工具吊り下げ具となる。
【０１０４】
【発明の効果】
本発明は上述のように構成したから、板状体に対してシャンク部を有する工具を容易に取り付け，取り外しでき、その上、板状体に対して前記工具を引っ張っても容易に抜け外れないため、盗難の懸念もほとんど生じず、しかも、簡易な構成にして容易に設計実現できる極めて実用性に秀れた画期的な工具吊り下げ具となる。
【０１０５】
即ち、シャンク部を単に開口部側へ傾動若しくは移動若しくは配置させてシャンク部の凹部を吊り下げ用係止部から逃げ、そして再び、シャンク部を戻り動若しくは移動させるだけで、シャンク部を被嵌部に被嵌配設でき、しかも、この際、吊り下げ用係止部にシャンク部の凹部が係止するため、工具が極めて抜け外れにくい状態で前記工具を板状体に沿設状態若しくは連設状態に吊り下げ係止することができる画期的な工具吊り下げ具となる。
【０１０６】
また、請求項２記載の発明においては、シャンク部が被嵌部と閉塞部との間に配設された状態を保持できることとなり、これにより、シャンク部を被嵌部に被嵌配設した状態、即ち、吊り下げ用係止部に凹部を係止した極めて抜け外れにくい状態を保持することができる極めて実用性に秀れた画期的な工具吊り下げ具となる。
【０１０７】
また、請求項３記載の発明においては、例えば、シャンク部を前記被嵌部に被嵌配設した後、単にシール部材を配設するだけで、板状体に工具を極めて抜け外れにくい状態で簡単に取り付けることができ、また、工具を使用する際には、シール部材を剥がせば、シャンク部の前記開口部への逃げ動を可能にして、板状体から工具を取り外し、使用することが可能となる極めて実用性に秀れた画期的な工具吊り下げ具となる。
【０１０８】
また、請求項４記載の発明においては、工具を吊り下げた状態で前記工具の製品名や製品説明等の情報を一見して確認することができる極めて実用性に秀れた画期的な工具吊り下げ具となる。
【図面の簡単な説明】
【図１】本実施例のシャンク部を被嵌部に被嵌配設する前の状態を示す説明斜視図である。
【図２】本実施例の吊り下げ用係止部からシャンク部の凹部を逃がしつつ前記シャンク部を開口部に挿通した状態を示す説明断面図である。
【図３】本実施例のシャンク部を被嵌部に被嵌配設し、シール部材を配設して開口部を閉塞した状態を示す説明断面図である。
【図４】本実施例のシャンク部を被嵌部に被嵌配設し、シール部材を配設して開口部を閉塞した状態を示す説明斜視図である。
【図５】本実施例の吊り下げ具を示す説明正面図である。
【図６】本実施例の図５におけるＡ−Ａ断面を示す説明断面図である。
【図７】本実施例の図５におけるＢ−Ｂ断面を示す説明平断面図である。
【図８】本実施例の図５におけるＣ−Ｃ断面を示す説明平断面図である。
【図９】本実施例のシャンク部を被嵌部に被嵌させるまでの動きを示す説明平断面図である。
【図１０】本実施例の表示部をシール部材の表面に設け、このシール部材を板状体に貼り付けた状態を示す説明図である。
【符号の説明】
１  シャンク部
２  工具
３  板状体
４  開口部
５  被嵌部
６  凹部
７  吊り下げ用係止部
８  閉塞部
９  表示部
１０  シール部材
【図１】
2005040867.tif 000003
【図２】
2005040867.tif 000004
【図３】
2005040867.tif 000005
【図４】
2005040867.tif 000006
【図５】
2005040867.tif 000007
【図６】
2005040867.tif 000008
【図７】
2005040867.tif 000009
【図８】
2005040867.tif 000010
【図９】
2005040867.tif 000011
【図１０】
2005040867.tif 000012